(57)【特許請求の範囲】
【請求項１】
柄部と、
前記柄部に固定される支持部と、
前記支持部の長さ方向に延長され中央に空隙を有するリング状に形成された本体中央部と、
前記本体中央部のリングの外周から下方に突出し特定の数本は前記柄部側の側面に鋸歯状の凹凸を備える複数本の腕部と、
を備え、
前記腕部で雑草のそばの土壌を掘り起し、前記本体中央部を雑草に被せて引き寄せることにより、雑草の引き抜き、篩い、取り集め並びに廃棄を可能にしたことを特徴とする除草具。
【請求項２】
前記腕部は、前記本体中央部に対して垂直位置よりもやや起き気味に突出しており、前記本体中央部に対して前記腕部がなす突出角度は、１００°〜１２０°であることを特徴とする請求項１に記載の除草具。
【請求項３】
前記本体中央部と、前記腕部と、前記支持部からなる本体は、１枚の鋼板から打ち抜き成形され、必要に応じて焼入れされたものであることを特徴とする請求項１または２に記載の除草具。
【発明の詳細な説明】
【技術分野】
【０００１】
本発明は、園芸用の除草具に関し、特に、雑草の除去、廃棄が容易確実で操作しやすい除草具に関する。
【背景技術】
【０００２】
従来、草取り用の除草具として、例えば、回転操作部材に固着された基板の下面に根引き抜き用の複数の挿入ピンを設けて、雑草の側に挿入ピンを挿入して回転させて根の部分を引き抜きちぎるようにしたものや（特許文献１参照）、円盤状の回転刃をモータで回転させるもの（特許文献２参照）、あるいは、鎌状で波目刃を備えたもの（特許文献３参照）などが提案されている。
【０００３】
特許文献１の除草具によれば、雑草の側に挿入ピンを挿入して回転させて根の部分を引き抜きちぎるようにしたため、迅速に、草を根から抜き取る又はちぎり取ることができるとされている。また、特許文献２の除草具によれば、円盤状の回転刃をモータで回転させるため、雑草の根ごと除草具に絡みつくことなく草取りができるとされている。また、特許文献３の除草具によれば、刃板部が湾曲しているので土に刺し込んだ際に土の中に深く入り、根の深い草を容易に抜くことができ、また、波目刃のために草の根を切らず根ごと引き抜くことができ、また、波目刃のために草が目づまりしないとされている。
【先行技術文献】
【特許文献】
【０００４】
【特許文献１】特開平６−１８９６０２号公報
【特許文献２】実用新案登録３１１７７０４号公報
【特許文献３】実用新案登録３０６３２３４号公報
【発明の概要】
【発明が解決しようとする課題】
【０００５】
しかしこれらは、いずれも機能が偏っており、実際の除草時に必要な種々の操作に適って自由に使いこなせるものではなかった。
即ち、雑草の除草時には、草の根を切って草を土壌から取る作業、取った草を掻き集める作業、集めた草から根についた土を篩い落とす作業、土を篩い落とした草をすくってごみ袋などに入れる作業などの一連の作業が必要になるが、従来の除草具は機能が限られた単機能のものであって、実際の除草に必要な種々の作業の機能に対応したものではなく、操作性も優れたものではなかった。
【０００６】
本発明はこの点を改良して、除草時に必要な一連の作業の全てに対応することができ、小型軽量で、操作性に優れた除草具の実現を目的とする。
【課題を解決するための手段】
【０００７】
以上の課題を解決するため、本発明の除草具は、柄部と、前記柄部に固定される支持部と、前記支持部の長さ方向に延長され中央に空隙を有するリング状に形成された本体中央部と、前記本体中央部のリングの外周から下方に突出し特定の数本は前記柄部側の側面に鋸歯状の凹凸を備える複数本の腕部と、を備え、前記腕部で雑草のそばの土壌を掘り起し、前記本体中央部を雑草に被せて引き寄せることにより、雑草の引き抜き、篩い、取り集め並びに廃棄を可能にしたことを特徴とする。
【００１０】
また、本発明の除草具は、前記腕部は、前記本体中央部に対して垂直位置よりもやや起き気味に突出しており、前記本体中央部に対して前記腕部がなす突出角度は、１００°〜１２０°であることを特徴とする。
【００１１】
さらに、本発明の除草具は、前記本体中央部と、前記腕部と、前記支持部からなる本体は、１枚の鋼板から打ち抜き成形され、必要に応じて焼入れされたものであることを特徴とする。
【発明の効果】
【００１２】
本発明は、以上に述べたように構成されているので、柄部を握って腕部が横向きになるように雑草の横の土壌に差し込んで動かすことで、根を引いて雑草を抜いたり、本体中央を水平に雑草に覆い被せて引き寄せることで抜いた雑草を集めたり、あるいは、雑草を篩って根についた土を落としたり、雑草を集めて運んだりすることができ、小型、簡単な構成で、操作性よく、雑草を抜いたり廃棄したりする種々の作業に対応することができるという利点がある。
【図面の簡単な説明】
【００１３】
【図１】本発明の除草具の一実施の形態の平面図と正面図である。
【図２】図１に示す一実施の形態の本体部の展開図である。
【図３】本実施の形態で草取り作業を行っている作業見取図である。
【図４】本実施の形態で草集め作業を行っている作業見取図である。
【図５】本実施の形態で篩い作業を行っている作業見取図である。
【図６】本実施の形態で掬い上げ運搬作業を行っている作業見取図である。
【図７】図７（ａ）は、除草具の平面図であり、図７（ｂ）は、除草具の正面図であり、図７（ｃ）は、除草具の底面図であり、図７（ｄ）は、除草具の左側面図であり、図７（ｅ）は、除草具の右側面図である。
【発明を実施するための形態】
【００１４】
本発明を実施形態の図面に添って詳細に説明する。
図１（ａ）は、本発明の除草具の一実施の形態の平面図であり、図１（ｂ）は、その正面図である。また、図２は、この実施の形態の除草具本体を上から見た展開図である。
【００１５】
図１および図２において、符号１０は本体、符号１１は本体中央、符号１２（１２ａ〜１２ｄ）は腕部、符号１３は支持部、符号１４は柄部、符号１２１は刃先、符号１２２は鋸歯状凹凸である。
【００１６】
図１に示す本体中央１１、各腕部１２および支持部１３からなる本体１０は、鋼板を図２に示す展開図のように打ち抜いたのち、各腕部１２を所定の位置で本体中央１１に対して同一方向（この方向を以下、下方という）に曲げ成形し、曲げ成形した本体１０の硬度を高めるために焼入れして作成される。
【００１７】
本実施の形態では、腕部１２の本数は７本であり、支持部１３の反対側に位置する先端の腕部１２ａに対し、右回りおよび左回りに２番目の腕部を１２ｂ、３番目の腕部を１２ｃそして４番目を１２ｄとし、腕部１２ｂおよび腕部１２ｃにはその支持部１３側（すなわち柄部１４側）に鋸歯状凹凸１２２が設けられている。この鋸歯状凹凸１２２は雑草の根の部分に引っ掛けて雑草を引き抜くことに用いられる。なお、本体１０を打ち抜く際に、本体中央１１には空隙１５が形成される。この空隙１５は、後述する草集め作業および篩い作業の際に、その作業を目視確認するための穴ともなる。
【００１８】
各腕部１２の本体中央１１に対する突出角度（下方への曲げ角度）は、垂直位置よりも多少起き気味（開き気味）であり、本実施の形態では各腕部１２と本体中央１１の下方内角を１１０°に採っている。この角度は、実際の使用結果から、±１０°程度の幅の範囲が許容されるものである。内角が１００°以内になると、雑草を引き抜きやすくはなるが、各腕部１２に絡みやすくなり、後述する草集め作業、篩い作業、掬い上げ作業の障害となる。逆に、この内角が１２０°以上になると、雑草を引き抜き難くなったり、草集め作業においても地面との所定高さを確保できなくなり難しくなったりする。
【００１９】
本体中央１１の後方側は、延長されて支持部１３を形成しており、この部分を握りに挿入、固定して柄部１４を形成し、手で握りやすくされている。柄部１４の握りは手触りで腕部１２の方向が分かるように扁平に構成してある。
【００２０】
なお、図７に、上記した本発明の実施形態に係る除草具の全体構成が明確になるように５面図（背面図は正面図と対称に表れるため省略した）を示した。即ち、図７（ａ）は、除草具の平面図であり、図７（ｂ）は、除草具の正面図であり、図７（ｃ）は、除草具の底面図であり、図７（ｄ）は、除草具の左側面図であり、図７（ｅ）は、除草具の右側面図である。なお、図では、各腕部１２および本体中央１１部分を実線で示し、支持部１３および柄部１４を点線で示している。点線で表した部分、特に、柄部１４については、さまざまな形状を有する柄部があり得るため、この図に表された形状に限定されるものではない、と言う意味を含めて点線で示したものである。
【００２１】
以下、本発明の実施形態に係る除草具の操作について説明する。
図３ないし図６は本除草具を用いた作業の操作を示す作業見取図である。これらの図に添ってこの作業について説明する。
【００２２】
（１）草取り作業
図３に示すように、柄部１４を縦に握って各腕部１２が横に向くようにして、草が生えている地表近くの雑草の茎の向こう側に腕部１２の先端を潜らせ、そのまま手前に引くことによって雑草を取ることができる。このとき、腕部１２ｂおよび腕部１２ｃについている鋸歯状凹凸１２２を草の根に引っ掛けることで滑らずに抜くことができる。また、各腕部１２のとがった刃先１２１を土壌に潜らせることで、土をほぐし雑草を根から抜くことができる。なお、本体１０は、図１および図２に示すように、腕部１２ａを中心にして腕部１２ｂ〜１２ｄが左右対称にそれぞれ配置されているため、使用に際しては、右利きであっても、左利きであっても両方とも使用することができる。
【００２３】
（２）草集め作業
図４に示すように、柄部１４を横に握って、本体中央１１を地表に平らに位置させた上で、本体中央１１を取った草に被せるようにして前後または左右に動かすことで草を集めることができる。雑草を取った作業の直後に集めることができるので、取り残しなく草を集めることが容易に実行できる。なお、これらの作業を空隙１５で目視確認しながら行うことができる
【００２４】
（３）篩い作業
取って集めたばかりの雑草の根には、土が多くついており、そのまま捨てると土を多量に捨てることになるので、土を根から払う作業が必要になる。本実施の形態では、図５に示すように、雑草を集めた後、本体中央１１が雑草の上にある状態で、柄部１４を左右または前後にすばやく動かすことで雑草の根についた土を篩い落とすことができ、雑草や土が乾くまでに篩うことができて、別に篩などを用意しなくても土を篩う作業を楽に実施できる。これらの作業も空隙１５で目視確認しながら行うことができる。
【００２５】
（４）掬い上げ作業
集めて土を篩い終わった雑草を廃棄するためにごみ袋に入れるとき、従来は改めて箒で掃いて塵取りに掬ったり、手で集めたりする必要があったが、本実施の形態では、図６に示すように、腕部１２を上にした状態で掬って取ることが出来るので、そのままごみ袋に入れることができ、手間がかからない。
【００２６】
以上に述べたように、本発明の実施形態に係る除草具では、柄部を握って腕部が横向きになるように雑草の横の土壌に差し込んで動かすことで、根を引いて雑草を抜いたり、本体中央を水平に雑草に覆い被せて引き寄せることで抜いた雑草を集めたり、あるいは、雑草を篩って根についた土を落としたり、雑草を集めて運んだりすることができる。このため、これ１つだけで除草時の種々の作業に適合することができ、小型、簡単な構成で、操作性よく雑草を抜いたり、抜いた雑草を集めて廃棄処理したりすることができ、園芸用の雑草除去具として広く利用できるという利点がある。
【産業上の利用可能性】
【００２７】
本発明は、以上に述べたように、園芸用の雑草除去具として有効な機能を備えているので、家庭や公共の花壇や菜園などで広く利用できる可能性を備えている。
【符号の説明】
【００２８】
１０  本体
１１  本体中央
１２、１２ａ〜１２ｄ  腕部
１３  支持部
１４  柄部
１５  空隙
１２１  刃先
１２２  鋸歯状凹凸
【図１】
0005463321.tif 000002
【図２】
0005463321.tif 000003
【図３】
0005463321.tif 000004
【図４】
0005463321.tif 000005
【図５】
0005463321.tif 000006
【図６】
0005463321.tif 000007
【図７】
0005463321.tif 000008